(57)【要約】【課題】２次空気カバーへの煤の付着を抑制して、窒素酸化物の発生を良好に低減することができる燃焼装置を提供する。【解決手段】複数の１次炎孔９を有する１次炎口部３を覆う２次空気カバー４を設ける。２次空気カバー４は、１次炎口部３の上方に向かって起立する周壁板１１と、周壁板１１の上端において１次炎口部３を覆う上部端板１２とを備える。上部端板１２の１次炎口部３に対向する位置に２次炎口部１３を設ける。１次炎口部３の側方位置に、２次空気カバー４の下方からその内部に空気を送る複数の第１空気孔１５を設ける。周壁板１１の上半部に、２次空気カバー４の側方からその内部に空気を送る複数の第２空気孔１８を設ける。【選択図】図３
2006275359.tif 000002
【特許請求の範囲】
【請求項１】
複数の１次炎孔を有する１次炎口部と、該１次炎口部を覆う２次空気カバーとを備え、該２次空気カバーは、１次炎口部の上方に向かって起立する周壁板と、該周壁板の上端において１次炎口部を覆う上部端板とを備え、該上部端板の１次炎口部に対向する位置に２次炎口部を備える燃焼装置において、
前記１次炎口部の側方位置に、前記２次空気カバーの下方から該２次空気カバーの内部に空気を送る複数の第１空気孔を設けると共に、前記周壁板の上半部に、前記２次空気カバーの側方から該２次空気カバーの内部に空気を送る複数の第２空気孔を設けたことを特徴とする燃焼装置。
【請求項２】
前記第１空気孔から２次空気カバー内部への空気の流入量が前記第２空気孔から２次空気カバー内部への空気の流入量より小となるように設定されていることを特徴とする請求項１記載の燃焼装置。
【発明の詳細な説明】
【技術分野】
【０００１】
本発明は、ファンヒータ等の家庭用暖房器具に用いる燃焼装置に関する。
【背景技術】
【０００２】
従来、ファンヒータ等に採用される燃焼装置としては、１次炎口部を覆う２次空気カバーに２次炎口部を設けて２段燃焼を行う所謂２段式ブンゼンバーナが知られている。この種の燃焼装置は、２次空気カバーによって燃焼用の２次空気量を制限し、比較的低温で燃焼させることによって窒素酸化物（特に二酸化窒素）の発生を低減している（例えば、特許文献１参照）。
【０００３】
また、この種の燃焼装置においては、１次炎口部の側方位置に複数の空気孔を設けて２次空気カバーの下方から該２次空気カバーの内部に補助空気を送り、この補助空気によって安定した燃焼が得られるようになっている。
【０００４】
ところで、２次空気カバーの下方から該２次空気カバーの内部に送られる補助空気の量が過剰に多い場合には、窒素酸化物（特に二酸化窒素）の発生を十分に低減することができない。一方、２次空気カバーの下方から該２次空気カバーの内部に送られる補助空気の量が比較的少ない場合には、窒素酸化物（特に二酸化窒素）の発生を良好に低減することができる反面、塵埃による一次空気口の閉塞が生じた場合等のように不用意に一次空気不足となったときに、特にブタンやプロパン系のガス種において、２次空気カバーに煤が付着・堆積する不都合がある。
【特許文献１】実公平６−２４６５９号公報
【発明の開示】
【発明が解決しようとする課題】
【０００５】
かかる不都合を解消して、本発明は、２次空気カバーへの煤の付着を抑制して、窒素酸化物の発生を良好に低減することができる燃焼装置を提供することを目的とする。
【課題を解決するための手段】
【０００６】
かかる目的を達成するために、本発明は、複数の１次炎孔を有する１次炎口部と、該１次炎口部を覆う２次空気カバーとを備え、該２次空気カバーは、１次炎口部の上方に向かって起立する周壁板と、該周壁板の上端において１次炎口部を覆う上部端板とを備え、該上部端板の１次炎口部に対向する位置に２次炎口部を備える燃焼装置において、前記１次炎口部の側方位置に、前記２次空気カバーの下方から該２次空気カバーの内部に空気を送る複数の第１空気孔を設けると共に、前記周壁板の上半部に、前記２次空気カバーの側方から該２次空気カバーの内部に空気を送る複数の第２空気孔を設けたことを特徴とする。
【０００７】
本発明によれば、第１空気孔を２次空気カバーの下方に設けて、１次炎口部の側方位置から燃焼用の補助空気を２次空気カバー内部に供給すると共に、第２空気孔を２次空気カバーの周壁板の上半部に設けて２次空気カバーの側方から２次空気カバー内部に燃焼用の補助空気を供給するので、一次空気が不足しても、十分に２次空気カバー内部に補助空気を取り入れることができ、２次空気カバーへの煤の付着を確実に抑制することができる。
【０００８】
また、本発明においては、前記第１空気孔から２次空気カバー内部への空気の流入量が前記第２空気孔から２次空気カバー内部への空気の流入量より小となるように設定されていることが好ましい。
【０００９】
第２空気孔によって２次空気カバー内部の補助空気量は増加するが、第２空気孔が２次空気カバーの周壁板の上半部に設けられていることによって、１次炎口部における窒素酸化物の発生量への影響は殆どなく、２次空気カバーへの煤の付着を確実に抑制することができる。しかも、第１空気孔からの空気の流入量は第２空気孔からの空気の流入量より小とされていることにより、第１空気孔からの補助空気量を制限でき、窒素酸化物の発生を良好に減少させることができる。
【発明を実施するための最良の形態】
【００１０】
本発明の一実施形態を図面に基づいて説明する。図１は本実施形態の燃焼装置の説明的側面図、図２は本実施形態の燃焼装置の一部を破断して示す説明的平面図、図３は図１のIII−III線断面説明図である。
【００１１】
図１に示すように、本実施形態の燃焼装置１はファンヒータ等に採用される所謂２段式ブンゼンバーナであり、バーナ本体２と１次炎口部３と２次空気カバー４とを備えている。
【００１２】
バーナ本体２は、ガスノズル５が臨む吸込口部６と、該吸入口部６から取り入れられた燃料ガスと空気とを混合して混合ガスを生成する混合管部７と、該混合管部７からの混合ガスをバーナ本体２の長手方向に均等分布させつつ１次炎口部３へ送る分布室８とを備えている。前記１次炎口部３は、図２に示すように、分布室８上部に設けられてバーナ本体２の長手方向に沿って配設された複数の１次炎孔９を備える炎孔板１０により構成されている。
【００１３】
前記２次空気カバー４は、図１に示すように、前記１次炎口部３である炎孔板１０を包囲して起立する周壁板１１と、該周壁板１１の上端に連接されて炎孔板１０の上方を覆う上部端板１２とを備え、図２に示すように、該上部端板１２には、前記１次炎口部３の１次炎孔９に対向して平面視長方形状に開放形成された２次炎口部１３が設けられている。
【００１４】
また、図３に示すように、前記バーナ本体２は、分布室８の左右両側に伸びる鍔状部１４を備えると共に、炎孔板１０は該鍔状部１４に重合する部分を備え、該鍔状部１４及び炎孔板１０の重合部分には、上下方向に貫通する第１空気孔１５が炎孔板１０の長手方向に沿って所定間隔を存して複数形成されている。更に、炎孔板１０の両端には垂下する垂下片１６が連設されており、該垂下片１６と前記２次空気カバー４の周壁板１１とはその下端縁においてカシメにより連結されている。なお、図１において１７は図示しない炎検出器を取り付ける炎検出器用取付孔である。
【００１５】
更に、図１及び図２に示すように、２次空気カバー４の周壁板１１には複数の第２空気孔１８が所定間隔を存して形成されている。該第２空気孔１８は、周壁板１１の上半部であって上部端板１２の近傍（即ち、上部側方）に、２次炎口部１３の長手方向に沿って配設されている。なお、本実施形態においては、図１に示すように複数の第２空気孔１８を長手方向に沿って一列に設けたものを示したが、複数列に設けてもよい。また、本実施形態においては、図１に示すように、各第２空気孔１８は、バーナ本体２の基端側（吸込口部６側）に位置するものより、その先端側（吸込口部６の反対側）に位置するものの孔径が小とされている。これにより、１次炎口部３の燃焼量に応じて適量な補助空気を供給することができ、炎を安定させることが可能とされている。
【００１６】
そして、図３に示すように、第１空気孔１５と第２空気孔１８とを設けたことによって、２次空気カバー４の内部に十分な燃焼用の補助空気を送ることができる。更に、第１空気孔１５から２次空気カバー４内部への空気の流入量は第２空気孔１８から２次空気カバー４内部への空気の流入量より小とされている。具体的には、第１空気孔１５の孔径を第２空気孔１８の孔径より小とする、或いは、第１空気孔１５の数を第２空気孔１８の数より小とする。そしてこの場合に、第２空気孔１８の全体孔面積を第１空気孔１５の全体孔面積に対して約１．２〜２倍とすることが好ましい。
【００１７】
本実施形態によれば、図３に示すように、第１空気孔１５により２次空気カバー４の下方から２次空気カバー４の内部に燃焼用の補助空気を取り入れると共に、第２空気孔１８により２次空気カバー４の上部側方から２次空気カバー４の内部に燃焼用の補助空気を取り入れる。これによって、２次空気カバー４の内部に十分な量の燃焼用の補助空気を取り入れることかでき、２次空気カバー４への煤の付着を確実に防止することができる。また、第２空気孔１８を設けたことによって、良好な燃焼を維持して第１空気孔１５からの補助空気量を抑えることができ、窒素酸化物の発生を確実に低減することができる。更に、ガスノズル５が臨む吸込口部６からの空気の流入が円滑に行われない事態が生じても、第１空気孔１５及び第２空気孔１８により２次空気カバー４の内部に燃焼用の補助空気が十分に供給されるので、２次空気カバー４への煤の付着を抑制することができる。
【図面の簡単な説明】
【００１８】
【図１】本発明の実施形態の燃焼装置の説明的側面図。
【図２】本実施形態の燃焼装置の一部を破断して示す説明的平面図。
【図３】図１のIII−III線断面説明図。
【符号の説明】
【００１９】
１…燃焼装置、３…１次炎口部、４…２次空気カバー、９…１次炎孔、１１…周壁板、１２…上部端板、１３…２次炎口部、１５…第１空気孔、１８…第２空気孔。
【図１】
2006275359.tif 000003
【図２】
2006275359.tif 000004
【図３】
2006275359.tif 000005